(57)【特許請求の範囲】
【請求項１】
蛍光面を兼ねた反射面を有する反射部と、
前記反射面に向けて、集光されたレーザ光を拡散する拡散部であって、前記反射面との間に、拡散されたレーザ光が通過する空間が確保されるように前記反射部に対して位置が固定された拡散部とを有し、
前記反射面は、拡散されたレーザ光および前記蛍光面の蛍光体からの光を混合して照明光として反射する際に単位面積当たりの輝度が低くなるように板状または曲面状に面積が拡大された面であり、さらに、当該反射面は、前記反射部の後面とともに放熱する面を兼ね、前記反射部の放熱専用の構成が不要であることを特徴とする照明装置。
【請求項２】
請求項１において、前記反射部は、前記蛍光体が塗布された面であって、拡散されたレーザ光を全て受光する面を含む、照明装置。
【請求項３】
請求項１または２において、前記拡散部は、集光されたレーザ光が入射される入力部をさらに備える、照明装置。
【請求項４】
請求項３において、前記入力部へ向けて集光されたレーザ光を出力する光源部をさらに有する、照明装置。
【請求項５】
請求項４において、前記入力部と前記光源部とを連結し、集光されたレーザ光が内部を通過する柱部をさらに有し、
前記拡散部および前記反射部が前記柱部により支持されている、照明装置。
【請求項６】
請求項１ないし５のいずれかにおいて、前記拡散部は、レーザ光を拡散する回折格子、マルチレンズおよびシリンドリカルレンズの少なくともいずれかを含む、照明装置。
【請求項７】
請求項１ないし６のいずれかにおいて、前記拡散部は、配列方位が互いに異なる少なくとも２枚のマルチレンズを含む、照明装置。
【請求項８】
請求項４または５において、前記光源部は、半導体レーザ素子を含む、照明装置。
【請求項９】
蛍光面を兼ねた反射面を有する反射部と、
前記反射面に向けて、集光されたレーザ光を拡散する拡散部であって、前記反射面との間に、拡散されたレーザ光が通過する空間が確保されるように前記反射部に対して位置が固定された拡散部とを有し、
前記反射面は、拡散されたレーザ光および前記蛍光面の蛍光体からの光を混合して照明光として反射し、
前記拡散部は、集光されたレーザ光が入射される入力部をさらに備え、
前記入力部へ向けて集光されたレーザ光を出力する光源部と、
前記入力部と前記光源部とを連結し、集光されたレーザ光が内部を通過する柱部をさらに有し、
前記拡散部および前記反射部が前記柱部により支持されている、照明装置。
【請求項１０】
蛍光面を兼ねた反射面を有する反射部と、
前記反射面に向けて、集光されたレーザ光を拡散する拡散部であって、前記反射面との間に、拡散されたレーザ光が通過する空間が確保されるように前記反射部に対して位置が固定された拡散部とを有し、
前記反射面は、拡散されたレーザ光および前記蛍光面の蛍光体からの光を混合して照明光として反射し、
前記拡散部は、レーザ光を拡散する回折格子、マルチレンズおよびシリンドリカルレンズの少なくともいずれかを含む、照明装置。
【請求項１１】
蛍光面を兼ねた反射面を有する反射部と、
前記反射面に向けて、集光されたレーザ光を拡散する拡散部であって、前記反射面との間に、拡散されたレーザ光が通過する空間が確保されるように前記反射部に対して位置が固定された拡散部とを有し、
前記反射面は、拡散されたレーザ光および前記蛍光面の蛍光体からの光を混合して照明光として反射し、
前記拡散部は、配列方位が互いに異なる少なくとも２枚のマルチレンズを含む、照明装置。
【発明の詳細な説明】
【技術分野】
【０００１】
本発明は、レーザ光を用いた照明装置に関するものである。
【背景技術】
【０００２】
特許文献１には、半導体レーザダイオードを光源とし、広範囲に可視光を照射することを可能にする発光装置を提供することが記載されている。特許文献１の発光装置は、レーザ光を出射する半導体レーザダイオードと、半導体レーザダイオードと離間して設けられ、レーザ光を吸収し可視光を発する発光体とを備え、発光体が、レーザ光を発光体の中心部に入射するための光路を有することを特徴とし、この光路が導光体で形成されることが望ましく、また、発光体の中心部に光拡散材を有することが望ましい。
【先行技術文献】
【特許文献】
【０００３】
【特許文献１】特開２０１１−１８７２９１号公報
【発明の概要】
【発明が解決しようとする課題】
【０００４】
簡易な構成で、より放熱特性に優れた照明装置が求められている。
【課題を解決するための手段】
【０００５】
本発明の一態様は、蛍光面を兼ねた反射面を有する反射部と、反射面に向けて、集光されたレーザ光を拡散する拡散部であって、反射面との間に、拡散されたレーザ光が通過する空間が確保されるように反射部に対して位置が固定された拡散部とを有する照明装置である。反射面は、拡散されたレーザ光および蛍光面の蛍光体からの光を混合して照明光として反射することを特徴とする。
【発明の効果】
【０００６】
この装置は反射部が拡散照射されたレーザ光を反射するとともに、レーザ光により励起された蛍光体からの光を出力する。したがって、レーザ光を用いて非スポット的に光を照射する照明装置を提供でき、光が集光することによる発熱と、眩しさとを抑制できる。さらに、反射部にレーザ光を拡散照射するために、反射部をレーザ光源から隔離してもよい。このため、形状の自由度が大きく、空冷などの方法により冷却されやすく、光源の冷却とは切り離しでき、軽量で、電源あるいは制御といった電気設備からも解放され得る反射型の発光部を有する照明装置を提供できる。
【図面の簡単な説明】
【０００７】
【図１】照明装置の概略構成を示す図。
【図２】照明装置の構成を拡大して示す断面図。
【図３】照明装置の反射部と拡散部と拡大して示す斜視図。
【図４】異なる照明装置の概略構成を示す断面図。
【図５】さらに異なる照明装置の概略構成を示す斜視図。
【図６】さらに異なる照明装置の概略構成を示す断面図。
【図７】さらに異なる照明装置の概要を示す模式図。
【発明を実施するための形態】
【０００８】
図１に、本実施形態にかかる照明装置の概略構成を示している。照明装置１は、照明用の光７を出力する照明ヘッド（照明ユニット）１０と、照明ヘッド１０を支持する筒状の柱部（支柱、パイプ）４０と、柱部４０を支持するベース５０とを有する。ベース５０は、柱部４０の下端４１に接続され、柱部４０の内部を通ってレーザ光５を照明ヘッド１０に照射する光源６１を含む。この照明装置１の照明ヘッド１０は、レーザ光５を反射し、また、レーザ光５により励起された蛍光体からの光を出力する。このため、照明ヘッド１０は基本的には蛍光面を兼ねた反射面を構成する板状の反射部材３９で構成され、光源および電源設備を含まず、軽量でメンテナンスフリーである。したがって、この照明ヘッド１０は、人の手が届きにくい高所、例えば地面９から３ｍ以上の高さに配置しやすい。
【０００９】
電源設備が必要で、多くの場合何等かの冷却手段が要求される光源６１は、柱部４０の下側で、アクセスおよびメンテナンスが容易なベース５０に配置される。下側の光源６１から出力されたレーザ光５は、照明ヘッド１０で主に下方に向けた照明光７に変換される。このため、照明装置１は、野外に設置され街路灯、室内に設置され高所室内灯、その他の上から下を照らす照明装置に適している。照明ヘッド１０を３ｍ以下の高さに配置する構成としてもよく、コンパクトな照明ヘッド１０を備えた卓上灯などとして提供することも可能である。
【００１０】
図２に、照明装置１の照明ヘッド１０およびベース５０の構成を拡大して断面図により示している。ベース５０は、地面９や床面に配置される基台５１と、基台５１の上に設置された光源部６０とを含む。光源部６０には、レーザ光５を出力する半導体レーザ素子を含む光源６１と、発振時の振動を抑制するために光源６１が固定され、光源６１から発生する熱を放熱する放熱部材６２と、光源６１および放熱部材６２を強制的に冷却する空冷装置（ファンモータ）６３と、光源６１の半導体レーザ素子および空冷装置６３への電力供給を制御する制御回路６４とが収納されている。放熱部材６２は、熱伝導のよい金属部材、例えばアルミニウムなどを用いることができる。空冷装置６３を用いて放熱効率を向上することにより光源部６０をコンパクトにしてもよい。空冷装置６３を用いずに、放熱部材６２のみで放熱する構成としてもよい。ベース５０は、地面９など、重量物を設置しやすい場所に配置される。このため、大型の放熱部材６２を採用して低コストでランニング費用の少ない照明装置１を提供してもよい。ベース５０はコンパクトなものであってもよく、メンテナンススペースを広く含むものであってもよく、ベース５０は地面近くに配置されるのでデザインの選択範囲が広い。ベース５０は重量物であってもよく、ベース５０を地面９に配置することにより、照明装置１の安定性を向上できる。
【００１１】
ベース５０は、レーザ光５を集光するコリメートレンズなどの光学素子６８を含んでいてもよい。光学素子６８は光源部６０の内部に配置してもよく、光源部６０と中空の柱部４０との接続部に配置してもよく、柱部４０の内部に配置してもよい。光学素子６８の１つの機能は、光源６１から出射されたレーザ光５を平行光に集光して出力することである。
【００１２】
柱部４０は、中空で、例えば、長さが３〜５ｍ程度の筒状または角筒状である。柱部４０の内部４２と光源部６０の内部とは、少なくともレーザ光５が柱部４０の内部に導入できる程度に連通している。柱部４０は照明ヘッド１０を支持するとともに、レーザ光５の通過スペースを確保するものである。柱部４０は外周を覆うパイプあるいはダクトであってもよく、アングル、フレームなどのオープンな構造体であってもよい。パイプあるいはダクトのような周壁を備えたタイプの柱部４０は、レーザ光５の通路を外乱から保護できるとともに、レーザ光５を外部から隠し、レーザ光５の眼に対する影響を防止し、レーザ光５に触るなどの事故を防止できる。
【００１３】
照明ヘッド１０を物理的に支持する部材と、レーザ光５との通路とを別々に設けてもよい。レーザ光５の通路はオープンな環境であってもよく、光ファイバーのようなフレキシブルな導光部材であってもよい。
【００１４】
照明ヘッド１０は、蛍光体が塗布された反射部材３９を有する円盤状の反射部（受発光部）３０と、反射部３０とは離隔して配置され、反射部３０に向けて、レーザ光５を拡散して照射する拡散部２０とを有する。照明ヘッド１０は、さらに、拡散部２０と反射部３０とを距離を開けて接続する透光性の下部カバー１１を含む。下部カバー１１は下側に凸の円錐状である。照明ヘッド１０は、さらに、反射部３０の上方を覆い、雨風などから反射部３０を保護するドーム状の上部カバー１５を含む。下部カバー１１の一例は拡散機能を兼ねた乳白色のプラスチック板である。下部カバー１１は、照明ヘッド１０の側面全体を覆うものであってもよく、アングル、フレーム、メッシュなどのような照明光７が透過する隙間を形成するものであってもよい。
【００１５】
この照明ヘッド１０においては、下部カバー１１により反射部３０と拡散部２０とは機械的に固定されて、位置が固定されている。反射部３０と拡散部２０との間は、拡散部２０により拡散されたレーザ光６が通過する空間が確保されていればよく、反射部３０は拡散部２０とは異なる部材に支持または固定されていてもよい。さらに、反射部３０および／または拡散部２０は、相対的に動いていてもよい。たとえば、反射部３０を傾けた状態で旋回させることにより、反射部３０からの照明光７をサーチライトのように動かすことも可能である。
【００１６】
反射部３０の形状は一定または固定化されたものであってもよく、反射部３０の形状が変化するものであってもよい。平板状の反射部材３９を、空気などを動力として変形させてもよく、例えば、下側に凸に膨らませたり凹ませたりすることにより照明ヘッド１０により照明する範囲を変えることができる。反射部３０の形状は円形に限らず多角形であってもよく、犬、猫などを模ったオブジェであってもよく、蛍光色が変わったり、蛍光色が異なる部分が動いたりするものであってもよい。
【００１７】
照明ヘッド１０に含まれる拡散部（拡散ユニット）２０は、柱部（支柱、パイプ）４０を介して光源６１から供給される集光された状態のレーザ光５が入射される入力部（入力側）２５と、入力部２５で受光したレーザ光５を拡散状態に変換して反射部３０へ出力する出力部（出力側）２６とを含む。そして入力部２５が、集光されたレーザ光５が内部を通過する柱部４０によって、光源部６０と連結されている。この拡散部２０は、円盤状の２枚のマルチレンズ２１および２２を含む。マルチレンズの枚数は、１枚であってもよく、３枚以上を組合せて使用してもよい。マルチレンズ２１および２２の間の距離は、反射部３０との距離や、反射部３０にレーザ光５を拡散して照射する面積等により、適宜調整される。
【００１８】
図３に照明ヘッド１０に含まれる拡散部２０および反射部３０を抜き出してさらに詳しく示している。反射部３０は反射部材３９を含み、反射部材３９の拡散部２０を向いた面がレーザ光６を反射する反射面３２となっている。さらに、反射面３２は、蛍光体が塗布された面であって、拡散部２０により拡散されたレーザ光６を全て受光して発光する面（受光面、発光面、受発光面、塗布面）３１を含む。したがって、反射面３２の受光面３１からは拡散されたレーザ光６が反射した光と、受光面３１に塗布された蛍光体がレーザ光６により励起されることにより出力される光（蛍光）とが混合（混色）された光（照明光）７が出力される。
【００１９】
受光面３１は、蛍光体が塗布されることにより粗面に近い状態であり、また、蛍光体からは励起された光（蛍光）が出力される。したがって、受光面３１から出力される照明光７はレーザ光６の反射方向に限定されることなく、受光面３１からは、受光面３１を面発光源として受光面３１が向いた方向（法線方向）を中心とした強度分布（ランバーシアン配光）の照明光７が出力される。
【００２０】
受光面３１に塗布される蛍光体は、レーザ光６により励起発光して色温度が変換された光を出力するものであることが望ましい。例えば、レーザ光５が青色レーザ光であれば、受光面３１に黄色蛍光を出力する蛍光体を塗布する。この組み合わせにより、受光面３１から照明用の白色光７を出力できる。レーザ光５の波長と蛍光体の種類（色）とは、これらに限定されず、任意の組み合わせを選択できる。受光面３１には複数種類の蛍光体を混合して塗布してもよく、領域を分けて塗布してもよい。
【００２１】
反射板（反射部材）３９の一例は、熱伝導の良いアルミニウム等の金属板である。この照明装置１においては、反射部材３９はレーザ光６により面発光する。したがって、反射部材３９の前方（入射側）および後方（裏面側）を含めた周囲に熱を放出することが可能である。さらに、放熱性の高い金属板を用いることにより、蛍光体が励起発光して発生する熱を周囲に放熱し、受光面３１の温度上昇を低減できる。温度上昇による蛍光体の励起変換効率の低下を抑制できるので変換効率を高く維持でき、高輝度の照明光７を出力できる。また、反射部材３９の温度の変動幅を低減できるので照明ヘッド１０の熱による機械的な変位や強度低下などの品質低下も抑制できる。
【００２２】
したがって、板状の反射部材３９を熱伝導の良い金属等で構成することにより、高輝度のレーザ光または拡散性の低いレーザ光を照射できるというメリットがある。
【００２３】
一方、この照明装置１においては、反射部３０に、拡散部２０で広面積に拡散されたレーザ光６が照射される。したがって、受光面３１の面積を広く確保することも可能である。受光面３１を広くした構成では、単位面積当たりの輝度が低く抑えられる。さらに、反射部材３９からは前後を含めた空間に放熱できる。このため、反射部材３９には熱伝導の低い材料、たとえば、樹脂系の部材を採用することが可能であり、低コストおよび軽量化を図ることができ、さらに安全性も高い。照明ヘッド１０を高所に取り付けたり、民生用の低コストの照明装置に好適である。
【００２４】
反射部材３９は一枚である必要はなく、多段に分割してもよく、円盤に限らず多角形の板であってもよく、２次元形状であっても、３次元形状であってもよく、蛍光塗料が塗布された反射面と、塗布されておらずレーザ光が反射される反射面とを組み合わせてもよく、レーザ光６により発光する反射部３０の構成は自由度が高い。したがって、照明装置１の設置される用途、環境に合わせた構成を採用できる。また、デザイン性に優れた照明装置１を提供できる。
【００２５】
拡散部２０に含まれるマルチレンズ２１および２２は、ともに平面視六角形のハニカム形状の多数のレンズ２３で構成されたマルチレンズアレイである。マルチレンズ２１の各レンズ２３間のピッチＰ１は、０．０５ｍｍ〜５．０ｍｍ程度の範囲、例えば０．４ｍｍ程度であり、マルチレンズ２２の各レンズ２３間のピッチＰ２は、０．０５ｍｍ〜５．０ｍｍ程度の範囲、例えば０．６ｍｍ程度である。マルチレンズ２１のピッチＰ１とマルチレンズ２２のピッチＰ２とは、Ｐ１の方がＰ２より大きくなるような構成であってもよく、Ｐ１とＰ２とが同程度であってもよい。
【００２６】
マルチレンズは、１枚であってもよいが、２枚以上用いることにより、レーザ光５をより均一に拡散して反射部３０へ供給できる。さらに、マルチレンズ２１および２２は、配列方位が互いに異なることが望ましい。具体的には、マルチレンズ２１の各レンズ２３の配列方向Ｄ１と、マルチレンズ２２の各レンズ２３の配列方向Ｄ２とは回転対象となる場合を除き異なることが望ましい。配列方向は、たとえば、レーザ光５の入射方向に直交する面内で定義することができる。配列方向（配列方位）Ｄ１と、配列方向Ｄ２との角度差θはレーザ光５を最も均一に拡散できるように選択することが好ましい。一例はレンズの最小単位が六角形状のマルチレンズにおいて、３０度または９０度程度である。レーザ光５をより均一に拡散して反射部３０に供給できるので、受光面３１の面発光強度の分布差を小さくできる。
【００２７】
反射部３０の各部分と拡散部２０との間の距離に差が生じる構成の場合は、拡散部２０から強度分布の小さいレーザ光６を供給すると反射部３０の面発光強度に分布が生じる可能性がある。拡散部２０はレーザ光６の供給方向（出力方向）あるいは出力角度により強度分布が変わる構成としてもよい。また、拡散部２０は平面レンズであってもよく、投影用のレンズを組み合わせて使ってもよい。拡散部２０は、レーザ光を拡散する回折格子であってもよく、シリンドリカルレンズであってもよく、複数の要素を組み合わせたものであってもよい。反射部３０に照射されるレーザ光６の形状は、円形状以外に、楕円状、多角形状、円錐状、球多角形状等とすることもできる。
【００２８】
このように、本照明装置１は、局部照射に適したレーザ光を適切に広げ、蛍光体の塗布面を発光させる基本原理で構築したものである。拡散部２０により拡散したレーザ光６を、受光面３１へ供給する。このため、受光面３１の発光面積当たりの輝度を低く抑えることが可能であり、蛍光体による発熱を低減できるとともに、発熱による蛍光体の変換効率の低下を抑制できる。このため、受光面３１の温度上昇を抑制でき、より放熱特性のよい照明装置１を提供できる。したがって、反射部材３９自身の放熱性能で高温化を抑制できる。このため、放熱器や、放熱ファンなどの放熱専用に設けられる構成は不要である。したがって、高所に配置される照明装置１に適している。また、受光面３１の蛍光体により色温度が変換されるので、レーザ光５および６の色に限定されず、白色や、その他の色の照明光７を、眩しさ抑えた状態で出力でき、環境や眼にやさしい光を出力する照明装置１を提供できる。
【００２９】
また、照明装置１は、レーザ光５を出力する半導体レーザ素子を含む光源６１と、レーザ光５を拡散して出力する拡散部２０と、拡散されたレーザ光６により励起発光する反射部３０とを離隔させて配置できる。この照明装置１においては、光源部６０と、拡散部２０および反射部３０とを分離できるため、灯具部である照明ヘッド１０の放熱のための構成を簡素化でき、照明ヘッド１０を軽量化できる。特に、街路灯等として照明ヘッド１０が高所で使用される場合には、柱部（支柱、パイプ）４０の強度を補強する必要がなく、安価に設置可能な照明装置１を提供できる。
【００３０】
６０００ｌｍの光束を出力する灯具を例として、ＬＥＤ光源を含む照明装置と本例の照明装置１とを比較してみる。
【００３１】
ＬＥＤ光源を含む照明装置では発光効率を１００ｌｍ／Ｗとすると、６０Ｗ（６０００ｌｍ÷１００ｌｍ／Ｗ）の電力が必要となり、ＬＥＤの熱電力（熱変換率）を０．５５とした場合、発熱電力は、３３Ｗ（６０Ｗ×０．５５）となる。この発熱電力を照明装置の上部で放熱しなければならない。
【００３２】
照明装置１においては、発光効率を５０ｌｍ／Ｗとすると、１２０Ｗ（６０００ｌｍ÷５０ｌｍ／Ｗ）の電力が必要となり、そのうち光出力を３５％とした場合、４２Ｗ（１２０Ｗ×０．３５）の光が反射部３０の蛍光体に当たる。蛍光体の励起による２０％が熱に換わると仮定した場合、８．４Ｗ（４２Ｗ×０．２）が反射部３０における発熱電力となる。
【００３３】
光源にＬＥＤを用いた照明装置に対し、照明装置１の照明ヘッド１０における発熱電力は約１／４となり、高所に配置される照明ヘッド１０の放熱処理の必要性を大幅に低減できる。照明ヘッド１０の放熱処理の必要性は、拡散部２０でレーザ光５を拡散して反射部３０に照射することにより受光面３１における単位面積当たりの輝度を低くでき、単位面積当たりの発熱量を低くできるので、さらに低下する。
【００３４】
照明ヘッド１０の高温化を抑制することにより蛍光体の励起変換効率が向上し、光源６１の投入電力を低減できる。このため、照明ヘッド１０の側だけではなく、ベース５０における熱処理も容易になる。したがって、照明装置１の全体として簡易な構成で、より放熱特性に優れた照明装置１を提供できる。
【００３５】
さらに、この照明装置１においては、メンテナンス率の高い部品を多く含む光源部６０を含むベース５０と、メンテナンス率の低い部品を含む照明ヘッド１０とを離隔して配置することができる。メンテナンス率の高い部品を照明装置１の下部のベース５０に集約することで、作業を行い易い。このため、照明装置１の維持管理が容易であり、全体として安価な照明装置１を提供できる。また、照明ヘッド１０の反射部材３９を交換することで、照明の色温度の変更を簡単に行うことも可能である。
【００３６】
図４に、異なる照明装置１ａを示している。この照明装置１ａの拡散部２０は、レーザ光５を拡散して出力する回折格子２９を含む。
【００３７】
図５に、異なる照明装置１ｃを示している。この照明装置１ｃの拡散部２０は、光源部６０で集光されて出力されたレーザ光５を一次元方向（Ｘ方向）８に拡散するシリンドリカルレンズ２４を含む。反射部３０はＸ方向８に延びた長方形の反射部材３９を含み、反射部材３９は長方形の受光面３１を含む。
【００３８】
この照明装置１ｃにおいては、レーザ光５はシリンドリカルレンズ２４によりＸ方向８に直線状（ライン状、１次元）に拡散され、Ｘ方向８に延びた受光面３１に照射される。受光面３１からは、直線状の蛍光灯のように、線発光的にＸ方向８に沿って延びた照明光７が出力される。この照明装置１ｃは、柱部４０が水平方向を向くように配置された例を示したが、柱部４０が垂直方向に向いていてもよく、斜め方向に配置されていてもよい。また、反射部材３９は、シリンドリカルレンズ２４の凸形状に合わせて曲げられた板であってもよい。
【００３９】
図６に、さらに異なる照明装置１ｄを断面図により示している。この照明装置１の反射部３０は、下に凸の円錐状の反射部材３９を含む。反射部材３９は、下に凸の円錐状の受光面３１を構成し、受光面３１が周方向を向くので、受光面３１から照明光７を、曲面発光的に下方よりも周方向に高い強度で出力できる。反射部材３９は、円錐形に限らず、三角錐や、四角錐といった多面体形状や、その他任意の立体形状であってもよい。反射部材３９が回転したり、変形するものであってもよい。
【００４０】
図７に、さらに異なる照明システム２の概略構成を模式的に示している。この照明システム２は、体育館やドーム形状の建物などの比較的大きな建物７０の内部７１の天井７２や壁面にレーザ光５を照射して建物内部７１を照明する装置である。照明システム２は、レーザ光５を出力する半導体レーザ素子を含む光源６１を含むプロジェクタタイプのベース５０と、天井７２から支持された拡散部２０と、天井７２に蛍光体を塗布した反射部３０とを含む。受光面３１は天井７２であっても、天井７２から吊り下げられた部材であってもよい。
【００４１】
ベース５０は、建物内部７１の床面７３や、側壁、中間フロアーなどに配置できる。ベース５０から集光したレーザ光５を天井近くに配置された拡散部２０に向けて出力し、天井７２を発光面３１として発光させ、天井７２の全体を照明装置として利用する。この照明システム２においては、レーザ光５の直進性とエネルギーロスが小さいこととを利用して、拡散部２０を光源６１から離隔した位置に配置している。この照明システム２は、天井７２に対する重量的および熱的な負荷が小さいので、天井７２の構造に大きな影響を与えずに天井全体を照明装置として利用できる。照明装置として利用できる対象は天井に限らず、壁面であってもよく、床面であってよい。
【００４２】
一般的に、発光ダイオードを用いた街路灯、高所室内灯のような高光束の特殊照明においては、放熱構造が大きく、かつ高重量である。このため、高所への取り付けや保持部材の補強など、現行のランプとの差が大きく、欠点ともなっている。また配光制御を必要としない高輝度ランプを含む無配光照明装置においては、局所的発光は、輝度が高く、これが視野に入ると不快感を与えことがある。
【００４３】
これらに対し、本発明の照明装置１および２は、蛍光体を有する反射部３０と、反射部３０に向けて、レーザ光５を拡散する拡散部２０とを有し、反射部３０は、拡散されたレーザ光６および蛍光体からの光７を反射する反射部材３９を含む。拡散部２０まで直進性に優れたレーザ光５の特性を利用して光エネルギーを集中した状態とし、拡散部２０から反射部３０においてレーザ光を広げて照射することにより非スポット的な発光源、例えば、面発光的、線発光的、また、曲面発光的な光源として反射部３０を利用できる。このため、大きな発光面積を備えた照明装置を提供できる。また、反射部３０の単位面積当たりの輝度を抑制することにより、発熱量を低減でき、発熱にともなう蛍光体の励起変換効率の低下を抑制できる。このため、高効率、低コスト、軽量の照明装置を提供できる。また同時に眩しさの抑制にもつながる。
【００４４】
なお、上述した照明装置１および２は、本発明に係る照明装置の一例であり、照明装置は、街路灯や建物内部照明に限らず、多種多様な場面の照明に適用できる。
【符号の説明】
【００４５】
１、２  照明装置
２０  拡散部、  ２５  入力部、  ２６  出射部
３０  反射部、  ３１  受光面、  ３９  反射部材
４０  柱部
６１  光源
【図１】
0006497497.tif 000002
【図２】
0006497497.tif 000003
【図３】
0006497497.tif 000004
【図４】
0006497497.tif 000005
【図５】
0006497497.tif 000006
【図６】
0006497497.tif 000007
【図７】
0006497497.tif 000008